(57)【要約】      （修正有）【課題】異臭を放つ虫を捕獲しても、負圧発生装置から臭気が排出されないようにした捕獲装置を提供する。【解決手段】捕獲装置１０は、負圧により虫を吸い込み捕獲する。捕獲装置１０は、吸入通路１２と、捕獲部１４と、減圧部１６と、負圧導入部１８と、を備える。吸入通路１２は、虫を吸い込む吸入口１２ａを有する。捕獲部１４は、吸入通路１２で吸い込まれた虫８を捕獲するように構成される。減圧部１６は、吸入通路１２よりも断面積が大きく、吸入通路１２と捕獲部１４との間に設けられる。負圧導入部１８は、吸入通路１２と減圧部１６との間に配置され、虫８の吸い込み方向と異なる方向に空気の流れを変更して、負圧を発生する負圧発生装置２４に空気を導入する。【選択図】図１
2018027036.tif 000002
【特許請求の範囲】
【請求項１】
負圧により虫を吸い込み捕獲する捕獲装置であって、
前記虫を吸い込む吸入口を有する吸入通路と、
前記吸入通路で吸い込まれた前記虫を捕獲する捕獲部と、
前記吸入通路よりも断面積が大きく、前記吸入通路と前記捕獲部との間に設けられる減圧部と、
前記吸入通路と前記減圧部の間に配置され、前記虫の吸い込み方向と異なる方向に空気の流れを変更して、前記負圧を発生する負圧発生装置に前記空気を導入する負圧導入部と、
を備える捕獲装置。
【請求項２】
前記捕獲部と前記吸入通路とを遮断する遮断状態及び開放する開放状態を取り得る第１の遮断部材をさらに備える、請求項１に記載の捕獲装置。
【請求項３】
前記第１の遮断部材は、前記減圧部に対して相対移動可能に設けられる、請求項２に記載の捕獲装置。
【請求項４】
前記第１の遮断部材は、前記減圧部に前記吸入通路に対して直線的に移動可能に設けられる、請求項３に記載の捕獲装置。
【請求項５】
前記第１の遮断部材は、前記減圧部内で、前記吸入通路に前記減圧部に対して回動可能に設けられる、請求項３に記載の捕獲装置。
【請求項６】
前記吸入通路と前記負圧発生装置とを遮断する遮断状態及び開放する開放状態を取り得る第２の遮断部材をさらに備える、請求項２から５のいずれか１項に記載の捕獲装置。
【請求項７】
前記第１の遮断部材と前記第２の遮断部材は、連動し、かつ第１の遮断部材が前記遮断状態のとき、前記第２の遮断部材も前記遮断状態になり、前記第１の遮断部材が前記開放状態のとき、前記第２の遮断部材も前記開放状態になるように構成される、請求項６に記載の捕獲装置。
【請求項８】
前記減圧部の容積は、前記捕獲部の容積の０．２５倍よりも大きい、請求項１から７のいずれか１項に記載の捕獲装置。
【請求項９】
前記負圧を発生する負圧発生装置をさらに備える、請求項１から８のいずれか１項に記載の捕獲装置。
【発明の詳細な説明】
【技術分野】
【０００１】
本発明は、捕獲装置、特に負圧によって虫を捕獲する捕獲装置に関する。
【背景技術】
【０００２】
カメムシなどの異臭を発生する虫を負圧によって捕獲する捕獲装置が従来知られている(たとえば、特許文献１参照)。従来の捕獲装置は、掃除機等の負圧発生装置のパイプの先端部に取り付けられる。
【０００３】
従来の捕獲装置は、掃除機のパイプの先端に伸縮ネットに装着された六角筒をパイプの先端に装着し、伸縮ネットをパイプ内に入れて使用される。
【先行技術文献】
【特許文献】
【０００４】
【特許文献１】特開２０１１―０３０５５３号公報
【発明の概要】
【発明が解決しようとする課題】
【０００５】
従来の捕獲装置では、負圧によって捕獲された虫がパイプ内に入った伸縮ネットで捕獲される。このため、捕獲時に虫が異臭を放つと、臭気発生する異物が負圧発生装置に付着する。これによって、虫を捕獲すると、その後、負圧発生装置の排気口から臭気が排出され続け、負圧発生装置が使用しづらくなる。
【０００６】
本発明の課題は、異臭を放つ虫を捕獲しても、負圧発生装置から臭気が排出されないようにすることにある。
【課題を解決するための手段】
【０００７】
本発明に係る捕獲装置は、負圧により虫を吸い込み捕獲する装置である。捕獲装置は、吸入通路と、捕獲部と、減圧部と、負圧導入部と、を備える。吸入通路は、虫を吸い込む吸入口を有する。捕獲部は、吸入通路で吸い込まれた虫を捕獲するように構成される。減圧部は、吸入通路よりも断面積が大きく、吸入通路と捕獲部との間に設けられる。負圧導入部は、吸入通路と減圧部との間に配置され、虫の吸い込み方向と異なる方向に空気の流れを変更して、負圧を発生する負圧発生装置に空気を導入する。
【０００８】
この捕獲装置では、負圧発生装置によって負圧を発生させた状態で吸入通路の吸入口を捕獲する虫に向ける。吸入口を虫に向けると、負圧によって虫が吸入口から吸入され、捕獲部に移動する。ここでは、負圧導入部は、虫の吸い込み方向と異なる方向に空気の流れを変更して、空気を負圧発生装置に導入する。このため、虫の吸入方向の空気の流れと、負圧導入部に流れる空気の流れと、が異なる方向になる。これによって、捕獲部で虫が異臭を放っても負圧導入部には異臭を含む空気が導入されにくい。この結果、異臭を放つ虫を捕獲部に捕獲しても、負圧発生装置から臭気が排出されにくくなる。
【０００９】
捕獲装置は、減圧部内に設けられ、捕獲部と吸入通路とを遮断する遮断状態及び開放する開放状態を取り得る第１の遮断部材をさらに備えてもよい。この構成によれば、虫を捕獲した後に、第１の遮断部材を開放状態から遮断状態に変化させることによって、捕獲部から負圧導入部への空気の逆流を防止できる。このため、異臭を放つ虫を捕獲しても、負圧発生装置からさらに臭気が排出されないようになる。
【００１０】
第１の遮断部材は、減圧部に対して相対移動可能に設けられてよい。この構成によれば、第１の遮断部材を減圧部に対して相対移動させることによって、第１の遮断部材を遮断状態と開放状態とに容易に切り替えできる。
【００１１】
第１の遮断部材は、減圧部に吸入通路に対して直線的に移動可能に設けられてもよい。この構成によれば、第１の遮断部材を減圧部に直線的に移動可能に配置したので、第１の遮断部材の操作が容易である。
【００１２】
第１の遮断部材は、減圧部内で、吸入通路に減圧部に対して回動可能に設けられてもよい。この構成によれば、外部に露出する吸入通路を回動させて、遮断状態と開放状態とに容易に切り替えできるので、第１の遮断部材の操作が容易である。
【００１３】
捕獲装置は、吸入通路と負圧発生装置とを遮断する遮断状態及び開放する開放状態とを取り得る第２の遮断部材をさらに備えてもよい。この構成によれば、負圧発生装置を吸入通路と遮断することによって、負圧が発生しない、又は発生しても異臭を含む空気が負圧発生装置に流入しない。
【００１４】
第１の遮断部材と第２の遮断部材は、連動し、かつ第１の遮断部材が遮断状態のとき、第２の遮断部材も遮断状態になり、第１の遮断部材が開放状態のとき、第２の遮断部材も開放状態になるように構成されてもよい。この構成によれば、第１の遮断部材と第２の遮断部材とを同時に遮断状態と開放状態とに操作できる。
【００１５】
減圧部の容積は、捕獲部の容積の０．２５倍よりも大きくてもよい。この構成によれば、減圧部の容積は、捕獲部の容積の０．２５倍よりも大きい。このため、例えば、最大の真空度が２５．５ｋＰａ程度の市販の掃除機を負圧発生装置としても用いても、捕獲部の空気が減圧部に流入しにくくなり、負圧発生装置に捕獲部の空気が流入しにくい。
【００１６】
捕獲装置は、負圧を発生する負圧発生装置をさらに備えてもよい。この構成によれば、負圧発生装置を着脱する必要がなくなる。
【発明の効果】
【００１７】
本発明によれば、異臭を放つ虫を捕獲しても、負圧発生装置から臭気が排出されないようになる。
【図面の簡単な説明】
【００１８】
【図１】本発明の第１の実施形態による開放状態の捕獲装置の模式図。
【図２】遮断状態の捕獲装置の図１に相当する模式図。
【図３】本発明の第２の実施形態による捕獲装置の図１に相当する模式図。
【図４】本発明の第２の実施形態による捕獲装置の図２に相当する模式図。
【図５】本発明の第３の実施形態による捕獲装置の図１に相当する模式図。
【発明を実施するための形態】
【００１９】
＜第１の実施形態＞
図１及び図２に示すように、本発明の第１の実施形態による捕獲装置１０は、負圧により虫８を吸い込み捕獲する装置である。第１の実施形態の捕獲装置１０は、負圧を発生する負圧発生装置２４として市販の小型の掃除機を用いる。したがって、捕獲装置１０は、負圧発生装置２４を備えていない。負圧発生装置２４は、先端にパイプ部材を着脱するように構成される吸引部２４ａを有する。吸引部２４ａは、凹状又は凸上に形成される。虫８は、捕獲時に異臭を放つカメムシを含む。なお、以下の図面では、嵌合する部材の間に部材の構成を明確にするために隙間が描かれているが、実際には隙間は形成されない。
【００２０】
捕獲装置１０は、吸入通路１２と、捕獲部１４と、減圧部１６と、負圧導入部１８と、を備える。また、捕獲装置１０は、第１の遮断部材２０及び第２の遮断部材２２をさらに備える。
【００２１】
吸入通路１２は、虫８を吸入するために設けられる。吸入通路１２は、例えば、金属又は合成樹脂製の円形又は多角形の断面を有する筒状の部材である。吸入通路１２は、虫８を吸い込む吸入口１２ａを、吸い込み方向の先端に有する。吸入通路１２の後端部１２ｂは、減圧部１６内で負圧導入部１８まで延びている。
【００２２】
捕獲部１４は、吸入通路１２で吸い込まれた虫８を捕獲するように構成される。捕獲部１４は、減圧部１６を介して吸入通路１２と連通するように構成される。捕獲部１４は、例えば、外部から虫を視認可能な透光性を有する合成樹脂製の円形又は多角形の断面を有する有底筒状の部材である。捕獲部１４は、減圧部１６の外周部に固定され、減圧部１６よりも断面積が大きい。
【００２３】
減圧部１６は、捕獲部１４の臭気が負圧により減圧状態となった減圧部１６にとどまり、負圧発生装置２４に導入されることを防止する緩衝装置として設けられる。減圧部１６は、吸入通路１２よりも断面積が大きく、吸入通路１２と捕獲部１４との間に設けられる。減圧部１６は、吸入通路１２よりも大径かつ捕獲部１４よりも小径に形成される。減圧部１６は、例えば、金属又は合成樹脂製の円形又は多角形の断面を有する筒状の部材である。減圧部１６は、吸入口１２ａ側に設けられる底部１６ａと、捕獲部１４側に延びて開口する筒状部１６ｂと、を有する。底部１６ａは、中心が開口しており、底部１６ａの開口部分が吸入通路１２の外周面に一体的に設けられる。筒状部１６ｂは、第１の遮断部材２０及び第２の遮断部材２２を支持するために捕獲部１４の内部まで延びている。減圧部１６の外周面に捕獲部１４が一体的に設けられる。
【００２４】
図２にハッチングで示す減圧部１６の容積Ｖ２は、ドットで示す捕獲部１４の容積Ｖ１の０．２５倍よりも大きい。減圧部１６は、吸入通路１２の外周部に一体的に設けられる。減圧部１６は、筒状部１６ｂの外周部に直交して設けられた、筒状の負圧発生装置取付部１６ｃを有する。負圧発生装置取付部１６ｃは、負圧発生装置２４の吸引部２４ａに着脱可能に取り付けられる。
【００２５】
負圧導入部１８は、減圧部１６を介して、吸入通路１２の空気を負圧発生装置２６に導入するために設けられる。第１の実施形態では、負圧導入部１８は、吸入通路１２と減圧部１６の間に配置され、吸入通路１２の終端で、虫８の吸い込み方向と異なる方向に空気の流れを変更して負圧発生装置２４に空気を導入する。具体的には、負圧導入部１８は、空気の流れを反転させて、吸入通路１２から減圧部１６を介して負圧発生装置２４に空気を導入する。
【００２６】
第１の遮断部材２０は、減圧部１６内に設けられ、捕獲部１４と吸入通路１２とを遮断する図１に示す遮断状態及び開放する図２に示す開放状態を取り得る。第１の遮断部材２０は、減圧部１６に対して相対移動可能に設けられる。第１の実施形態では、第１の遮断部材２０及び第２の遮断部材２２は、筒状部１６ｂの内周部に直線的に移動可能に支持された第１の遮断筒部２３に設けられる。第１の遮断筒部２３は、金属又は合成樹脂製の円形又は多角形の断面の部材であり、吸入通路１２よりも大径である。第１の遮断筒部２３内に、吸入通路１２側の先端が配置される。
【００２７】
第１の遮断筒部２３は、捕獲部１４側の後端部に第１の底部２３ａを有する。第１の底部２３ａは、斜めに傾けて形成される。これは、吸引した虫８を捕獲部１４に導きしやすくするためである。第１の遮断筒部２３の第１の底部２３ａ側の外周面には、第１の遮断部材２０が配置される。第１の遮断部材２０は、例えば円形の開放孔２０ａを有する。開放孔２０ａは、第１の遮断部材２０が図１に示す開放位置にあるときに、減圧部１６の筒状部１６ｂから突出して配置され、開放される。第１の遮断筒部２３は、筒状部１６ｂの外周面から突出する操作突起２３ｂを有する。操作突起２３ｂは、減圧部１６に形成された図示しないスリットによって、遮断状態となる遮断位置と開放状態になる開放位置とに、例えば弾性的に位置決めされる。
【００２８】
図１に示すように、第１の遮断部材２０が開放位置に配置されると、開放孔２０ａが減圧部１６の筒状部１６ｂから突出する配置され、第１の遮断部材２０は開放状態になる。図２に示すように、第１の遮断部材２０が遮断位置に配置されると、開放孔２０ａが筒状部１６ｂによって塞がれ、第１の遮断部材２０は遮断状態になる。
【００２９】
第２の遮断部材２２は、吸入通路１２と負圧導入部１８とを遮断するために設けられる。第２の遮断部材２２は、吸入通路１２と負圧導入部１８とを遮断する遮断状態及び開放する開放状態を取り得る。第２の遮断部材２２は、第１の遮断部材２０と連動して移動する。具体的には、第１の遮断部材２０が遮断状態のとき、第２の遮断部材２２は遮断状態になり、第１の遮断部材２０が開放状態のとき、第２の遮断部材２２は開放状態になるように構成される。第２の遮断部材２２は、第１の遮断筒部２３の吸入通路１２側の外周面によって構成される。図１に示すように、第２の遮断部材２２が開放位置に配置されると、第１の遮断筒部２３の吸入通路１２側の外周面が、負圧導入部１８よりも捕獲部１４側に配置される、これによって、負圧発生装置２４が減圧部１６と連通し、第２の遮断部材２２が開放状態になる。図２に示すように、第２の遮断部材２２が遮断位置に配置されると、第１の遮断筒部２３の先端外周面が吸入通路１２側に配置され、負圧発生装置２４を塞ぎ、負圧発生装置２４が減圧部１６と遮断状態になる。
【００３０】
次に、第１の実施形態による捕獲装置１０の捕獲動作について説明する。
【００３１】
虫８を捕獲するときは、負圧発生装置２４としての小型掃除機を負圧発生装置取付部１６ｃに取り付ける。そして、第１の遮断部材２０を開放位置に移動させた状態で、負圧発生装置２４を把持する。この状態で負圧発生装置２４をオンして、吸入口１２ａを虫８に向ける。すると、負圧によって虫８が吸入口１２ａから吸入通路１２に吸い込まれ、第１の遮断筒部２３の第１の底部２３ａに当たって捕獲部１４に収容される。虫８が捕獲部１４に収容されると、第１の遮断部材２０を遮断位置に移動させる。これによって、第１の遮断部材２０及び第２の遮断部材２２がともに遮断状態になる。
【００３２】
ここでは、負圧導入部１８は虫８の吸入方向と異なる方向に空気の流れを変更して空気を負圧発生装置２４に導入する。このため、虫８の吸入方向の空気の流れと、負圧導入部１８に流れる空気の流れと、が異なる方向になる。これによって、捕獲部１４で虫８が異臭を放っても負圧導入部１８には異臭を含む空気が導入されにくい。この結果、異臭を放つ虫を捕獲部１４に捕獲しても、負圧発生装置２４から臭気が排出されにくくなる。すなわち、カメムシなどの虫８は衝撃を受けた際に臭気を発生することが知られており、捕獲部１４の捕獲した虫から臭気が出ると、従来はその異臭が負圧発生装置に導入される。しかし、本発明では、虫８の吸入方向の空気の流れを負圧導入部１８によって異なる方向に変更するため、負圧発生装置から臭気が排出されないようになる。
【００３３】
また、第１の遮断部材２０が開放位置に配置され、捕獲部１４が一旦吸入通路１２の圧力である大気圧と同じ圧力になったのち、負圧発生装置２４がオンされると、負圧発生装置２４からの負圧により減圧部１６を介して捕獲部１４も大気圧状態から減圧される。捕獲部１４は捕獲部１４に捕獲されている虫により臭気が混じった状態となっており、減圧されると捕獲部１４に閉じ込められ、虫８の臭気をもった空気が減圧分だけ膨張することとなる。この膨張した空気が負圧発生装置２４まで到達すること、臭気が負圧発生装置２４に導入されると、虫８の臭気が負圧発生装置２４の排気となって流出する。膨張したのち、圧力が負圧発生装置２４の発生させる負圧に保たれると、捕獲部１４の空気の膨張は止まる。そこで、ここでは、減圧部１６が負圧発生装置２４と捕獲部１４との間に設けられることで、捕獲部１４からの臭気が混じった空気が負圧により膨張した際に、膨張分の空気が減圧部１６にとどまることで、捕獲部１４からの臭気を捕獲し、負圧発生装置２４に導入されることを防止することができる。
【００３４】
なお、減圧部１６の容積は負圧発生装置２４の能力と捕獲部１４の大きさによって変わる。この点について説明する。
【００３５】
ボイル・シャルルの法則によれば下記の式（１）が成立する。  
Ｐ×Ｖ／Ｔ＝一定・・・（１）
【００３６】
そこで、負圧発生装置２４のオンの前の捕獲部１４の空気の容積をＶ１、圧力をＰ１、温度をＴ１とし、膨張後の容積をＶ１ａ、圧力をＰ２、温度をＴ２とした場合、下記の式（２）が成立する。温度差がない場合、捕獲部１４の大きさをＶ１とすると次式が成り立つ。  
Ｐ１×Ｖ１／Ｔ１＝Ｐ２×Ｖ１ａ／Ｔ２・・・（２）
【００３７】
ここで、負圧発生装置２４のオンの前後で温度の変化はほぼないとした場合、下記の式（３）が成り立つ。  
Ｐ１×Ｖ１＝Ｐ２×Ｖ１ａ・・・（３）
【００３８】
すなわち、圧力Ｐ１が圧力Ｐ２に減圧されると、その分容積Ｖ１ａは膨張することとなる。この膨張分である容積Ｖ１ａ（図２のＶ１＋Ｖ２）と容積Ｖ１の差分である容積Ｖ２だけ減圧部１６の容積を確保していれば、負圧発生装置２４への臭気の吸い込みが防止できる。例えば、０．２５気圧分減圧できる能力を持った負圧発生装置２４であれば、圧力Ｐ１は大気圧であるので、圧力Ｐ２は０．７５気圧となる。そして、容積Ｖ１ａはＶ１／０．７５であり、臭気をもった空気は１．２５倍に膨張することとなる。そこで減圧部１６の容積Ｖ２としては捕獲部１４の容積Ｖ１の０．２５倍の容積を確保すればよい。
【００３９】
また、負圧発生装置２４がオフのときは第１の遮断部材２０を遮断状態にすることによって、捕獲部１４と吸入通路１２とが遮断され、さらに、負圧発生装置２４から臭気が排出されにくくなる。
【００４０】
さらに、第２の遮断部材２２を遮断状態にすることによって、吸入通路１２と負圧導入部１８とが遮断され、さらに、負圧発生装置２４から臭気が排出されにくくなる。
【００４１】
＜第２の実施形態＞
第２の実施形態については、第１の実施形態と異なる部分のみ説明する。
【００４２】
図３及び図４に示すように、第２実施形態の捕獲装置１１０では、負圧発生装置１２４が吸入通路１１２と同軸上に配置されている。
【００４３】
捕獲装置１１０は、吸入通路１１２と、捕獲部１１４と、減圧部１１６と、負圧導入部１１８と、を備える。また、捕獲装置１１０は、第１の遮断部材１２０及び第２の遮断部材１２２をさらに備える。これらの構成の材料及び機能については第１実施形態と同様である。
【００４４】
吸入通路１１２は、虫８を吸入するために設けられる。吸入通路１１２は、虫８を吸い込む吸入口１１２ａを吸い込み方向の先端に有する。吸入通路１１２の後端部には、第１の遮断部材１２０及び第２の遮断部材１２２が一体的に設けられる。
【００４５】
捕獲部１１４は、吸入通路１１２に連通可能に配置される。具体的には、捕獲部１１４は、減圧部１１６に吸い込み方向に対して直交する方向に配置される。捕獲部１１４は、有底筒状の捕獲部本体１１４ａと、連結筒部１１４ｂと、を有する。捕獲部本体１１４ａは、例えば、外部から虫を視認可能な透光性を有する合成樹脂製の円形又は多角形の断面をする有底筒状である。連結筒部１１４ｂは、減圧部１１６に着脱可能に連結される。
【００４６】
減圧部１１６は、円形のパイプで構成される。減圧部１１６は、吸入通路１１２よりも断面積が大きい。減圧部１１６は、吸入通路１１２および捕獲部１１４に通じる通路を覆うように配置される。減圧部１１６は、第１の筒部１１６ａと、第１の筒部１１６ａの内周側に配置される小径の第２の筒部１１６ｂと、を有する。
【００４７】
第１の筒部１１６ａは、吸入通路１１２側の先端部に、中心が開口する座金状の連結部１１６ｃ有する。第１の筒部１１６ａの後端部は、負圧発生装置２４の吸引部２４ａに着脱可能な形状となるように縮径される。なお、第２の実施形態では円形のパイプとしたが、角形であってもよい。
【００４８】
第２の筒部１１６ｂは、捕獲部１１４の連結筒部１１４ｂに着脱可能に設けられる。第２の筒部１１６ｂは、第１の支持部１１６ｄと、第１のフランジ部１１６ｅと、第２の支持部１１６ｆと、カバー部１１６ｇと、を有する。第１の支持部１１６ｄは、円筒状である。第１の支持部１１６ｄの吸入通路１１２側の先端部は、連結部１１６ｃの開口部に一体的に設けられる。第１の支持部１１６ｄは、吸入通路１１２を回動自在に支持する。第１のフランジ部１１６ｅは、第１の支持部１１６ｄの後端部に一体的に設けられる。第１のフランジ部１１６ｅには負圧導入部１１８が設けられる。第２の支持部１１６ｆは、第１のフランジ部１１６ｅの外周部に一体的に設けられる。第２の支持部１１６ｆは、一体的に形成された第１の遮断部材１２０及び第２の遮断部材１２２を、遮断位置と回動位置との間で回動自在に支持する。カバー部１１６ｇは、第２の支持部１１６ｆの開口する後端部に着脱可能に設けられる。
【００４９】
負圧導入部１１８は、吸入通路１１２および捕獲部１１４に通じる通路を覆う減圧部１１６に設けられる。負圧導入部１１８は、吸入通路１１２と減圧部１１６の間に配置され、虫８の吸い込み方向と異なる方向に空気の流れを変更して、減圧部１１６を介して、空気を負圧発生装置１２４に導入する。具体的には、負圧導入部１１８は、第１の実施形態と同様に空気の流れを反転させる。第２の実施形態では、負圧導入部１１８は、第１のフランジ部１６６ｅに形成された少なくとも一つの（例えば、２から４個）の導入孔１１８ａを有する。
【００５０】
第１の遮断部材１２０及び第２の遮断部材１２２は、第２の実施形態では、第２の筒部１１６ｂに遮断位置と開放位置との間で回動自在に支持された筒状の第２の遮断筒部１２３に設けられる。第２の遮断筒部１２３は、吸入通路１１２と一体的に回動する。第２の遮断筒部１２３は、第２のフランジ部１２３ａと、筒状の被支持部１２３ｂと、導入板１２３ｃと、底部１２３ｄと、を有する。第２のフランジ部１２３ａは、吸入通路１１２の後端部に一体的に形成され、第２の筒部１１６ｂの第１のフランジ部１１６ｅに対向して配置される。被支持部１２３ｂは、第２のフランジ部１２３ａの外周部に一体的に設けられる。被支持部１２３ｂは、第２の支持部１１６ｆの内周面に回動自在に支持される。導入板１２３ｃは、吸入した虫８を捕獲部１１４に導くために設けられる。導入板１２３ｃは、被支持部１２３ｂの内部に、第１の遮断筒部２３の第１の底部２３ａと同様に斜めに傾けて形成される。これによって、第１の底部２３ａと同様に吸引した導入板１２３ｃによって虫８を捕獲部１１４に導きやすくなる。底部１２３ｄは、被支持部１２３ｂと直交して配置され、被支持部１２３ｂの後端部を塞ぐ。これによって、被支持部１２３ｂの後端側の外周面が、第１の遮断部材１２０として機能する。
【００５１】
第１の遮断部材１２０は、捕獲部１１４と吸入通路１１２とを遮断する遮断状態及び開放する開放状態を取り得る。第１の遮断部材１２０は、吸入通路１１２と捕獲部１１４とつなぐ通路に設けられ、吸入通路１１２と捕獲部１１４を遮断するために設けられる。第１の遮断部材１２０は、図３に示す開放状態及び図４に示す遮断状態を取り得る。開放状態では吸入通路１１２と捕獲部１１４とを開放する。遮断状態では、吸入通路１１２と捕獲部１１４とを遮断する。第１の遮断部材１２０は、第２の遮断筒部１２３の被支持部１２３ｂに形成された第１の開放孔１２０ａを有する。第１の開放孔１２０ａは、開放位置にあるとき、捕獲部１１４の連結筒部１１４ｂに開口する位置に設けられる。第１の開放孔１２０ａは、被支持部１２３ｂに、例えば円形に形成される。
【００５２】
吸入通路１１２を回して第１の遮断部材１２０が開放位置に配置されると、第１の開放孔１２０ａが連結筒部１１４ｂに対向して配置され、第１の遮断部材１２０は開放状態になる。また、吸入通路１１２を回して第１の遮断部材１２０が遮断位置に配置されると、第１の開放孔１２０ａが連結筒部１１４ｂから外れて配置され、第１の遮断部材１２０は遮断状態になる。
【００５３】
第２の遮断部材１２２は、吸入通路１１２と負圧発生装置２４とを遮断する遮断状態及び開放する開放状態を取り得る。 第２の遮断部材１２２は、吸入通路１１２と負圧発生装置１２４とをつなぐ通路に設けられる。第２の遮断部材１２２は、第２のフランジ部１２３ａに形成された少なくとも一つ（例えば、２つから４つ）の第２の開放孔１２２ａを有する。第２の開放孔１２２ａは、吸入通路１１２をつまんで、第２の遮断部材１２２を遮断位置から開放位置に回転させると導入孔１１８ａと対向して配置され、第２の遮断部材１２２が開放状態になる。また、吸入通路１１２をつまんで、第２の遮断部材１２２を開放位置から遮断位置に回転させると、第２の開放孔１２２ａが導入孔１１８ａから外れて、第２の遮断部材１２２が遮断状態になる。
【００５４】
第２の遮断部材１２２は、第２のフランジ部１２３ａに形成された少なくとも一つ（例えば、２つから４つ）の第２の開放孔１２２ａを有する。第２の開放孔１２２ａは、吸入通路１１２をつまんで、第２の遮断筒部１２３を遮断位置から開放位置に回転させると第２の開放孔１２２ａが導入孔１１８ａと対向して配置され、第２の遮断部材１２２が開放状態になる。また、吸入通路１１２をつまんで、第２の遮断部材１２２を開放位置から遮断位置に回転させると、第２の開放孔１２２ａが導入孔１１８ａから外れて、第２の遮断部材１２２が遮断状態になる。
【００５５】
このような構成の第２実施形態では、第１の実施形態による作用効果に加えて、吸入通路１１２と手で把持される負圧発生装置１２４とを同軸上に配置している。このため、吸入口１２ａを虫８に向ける際の操作性が良好であり、吸入口１２ａを虫８に合わせやすくなる。
【００５６】
＜第３の実施形態＞
図５に示すように、第３の実施形態による捕獲装置２１０は、吸入口２１２ａを有する通路２１２と、捕獲部２１４と、減圧部２１６と、負圧導入部２１８と、専用の負圧発生装置２２４を備える。第３実施形態では、第１の遮断部材及び第２の遮断部材は備えていない。減圧部２１６は、大径の減圧部本体２１６ａと、減圧部本体２１６ａよりも小径の連結部２１６ｂと、有する。捕獲部２１４は、連結部２１６ｂの外周面に一体的に設けられる。負圧導入部２１８は、第１の実施形態と同様な構成である。負圧発生装置２２４は、減圧部本体２１６ａと一体的に形成される。ここでは第１の遮断部材及び第２の遮断部材を設けていないので、捕獲装置２１０の構成が簡素化する。
【００５７】
＜他の実施形態＞
（ａ）第１実施形態及び第２実施形態では、捕獲装置１０（又は１１０）は、第１の遮断部材２０(又は１２０）と、第２の遮断部材２２(又は１２２）と、を備えているが、本発明はこれに限定されない。第１の遮断部材２０(又は１２０）及び第２の遮断部材２２(又は１２２）のいずれかを備えてもよい。
【００５８】
（ｂ）捕獲対象の虫はカメムシに限定されず、虫であればどのようなものでもよい。
【００５９】
（ｃ）第３の実施形態において、第１の遮断部材を追加してもよい。
【符号の説明】
【００６０】
１０，１１０，２１０    捕獲装置
１２，１１２，２１２    吸入通路
１２ａ，１１２ａ，２１２ａ  吸入口
１４，１１４，２１４    捕獲部
１６，１１６，２１６    減圧部
１８，１１８，２１８    負圧導入部
２０，１２０    第１の遮断部材
２２，１２２    第２の遮断部材
２４，１２４，２２４    負圧発生装置
【図１】
2018027036.tif 000003
【図２】
2018027036.tif 000004
【図３】
2018027036.tif 000005
【図４】
2018027036.tif 000006
【図５】
2018027036.tif 000007